(57)【要約】【課題】  従たる機能である音楽再生中に通話などの主たる機能を速やかに動作させる移動通信端末装置を提供する。【解決手段】  移動通信端末装置の制御部は、主たる処理部に関するイベントが発生したと判断した場合（ステップＳ１１ｃの「主たる処理部に関するもの」）、従たる処理部である待ち受け画面再生部及び音楽再生部を一時停止させ（ステップＳ１１ｈ、Ｓ１１ｊ）、イベントに対応する主たる処理部に処理をさせて（ステップＳ１１ｋ）、その後、一時停止されていた音楽再生部及び待ち受け画面再生部の動作を再開させる（ステップＳ１１ｎ、Ｓ１１ｏ）。【選択図】  図５
2007189534.tif 000002
【特許請求の範囲】
【請求項１】
無線通信手段と、
前記無線通信手段を用いて通信機能を処理する第１の処理手段と、
表示手段と、
前記表示手段に待ち受け画面を表示する待ち受け画面表示手段と、
前記通信機能を処理しない第２の処理手段とを有し、
前記待ち受け画面表示手段は、前記待ち受け画面に併せて前記第２の処理手段の動作状況を前記表示手段に表示し、前記第１の処理手段が動作中には動作を一時停止する
ことを特徴とする移動通信端末装置。
【請求項２】
前記第１の処理手段は、前記無線通信手段によって着信信号が受信された際に動作を開始する
ことを特徴とする請求項１に記載の移動通信端末装置。
【請求項３】
複数のキースイッチからなる入力手段を更に有し、
前記第１の処理手段は、前記入力手段の所定のキースイッチが操作された際に動作を開始する
ことを特徴とする請求項１に記載の移動通信端末装置。
【請求項４】
前記第２の処理手段は、前記第１の処理手段が動作中には動作を一時停止する
ことを特徴とする請求項１に記載の移動通信端末装置。
【請求項５】
音楽コンテンツを記憶する音楽コンテンツ記憶手段と、
音楽再生用のスピーカとを更に有し、
前記第２の処理手段は、前記音楽コンテンツ記憶手段に記憶された音楽コンテンツを再生して前記スピーカから音楽を発生させる
ことを特徴とする請求項１に記載の移動通信端末装置。
【発明の詳細な説明】
【技術分野】
【０００１】
本発明は、移動通信端末装置に係り、特に、通信に係らない従たる機能の処理に関する。
【背景技術】
【０００２】
移動通信端末装置が音楽コンテンツを記憶し、その音楽を再生する処理が知られている。また、音楽を再生中に、その音楽の曲名や演奏時間を表示部に表示する処理が知られている（例えば、特許文献１参照。）。
【特許文献１】特開２００２−１２３２７３号公報（第３頁、図３）
【発明の開示】
【発明が解決しようとする課題】
【０００３】
音楽再生は、移動通信端末装置の主たる機能である通信機能には関係しない従たる機能であり、主たる機能の速やかな処理に支障を与えることは好ましくない。しかしながら、上述した特許文献１に開示されている方法では、従たる機能である音楽再生中に通話などの主たる機能を速やかに動作させる移動通信端末装置の処理が明らかでない問題点があった。
【０００４】
本発明は上記問題点を解決するためになされたもので、従たる機能である音楽再生中に通話などの主たる機能を速やかに動作させる移動通信端末装置を提供することを目的とする。
【課題を解決するための手段】
【０００５】
上記目的を達成するために、本発明の移動通信端末装置は、無線通信手段と、前記無線通信手段を用いて通信機能を処理する第１の処理手段と、表示手段と、前記表示手段に待ち受け画面を表示する待ち受け画面表示手段と、前記通信機能を処理しない第２の処理手段とを有し、前記待ち受け画面表示手段は、前記待ち受け画面に併せて前記第２の処理手段の動作状況を前記表示手段に表示し、前記第１の処理手段が動作中には動作を一時停止することを特徴とする。
【発明の効果】
【０００６】
本発明によれば、従たる機能である音楽再生中に通話などの主たる機能を速やかに動作させる移動通信端末装置を提供することができる。
【発明を実施するための最良の形態】
【０００７】
以下に、本発明による移動通信端末装置の実施の形態を、図面を参照して説明する。
【０００８】
（第１の実施形態）
図１は、本発明の第１の実施形態に係る移動通信端末装置の構成を示すブロック図である。この移動通信端末装置は、装置全体の制御を行う制御部１１と、基地局（図示せず）との間で電波の送受信を行うアンテナ１２ａと、通信部１２ｂと、送受信部１３と、通話用のスピーカ１４ａと、通話用のマイクロフォン１４ｂと、通話部１４ｃと、表示部１５と、入力装置１６と、通話処理部２１と、電子メール送受信部２２と、電子メール記憶部２３と、待ち受け画面再生部２４と、待ち受け画面コンテンツ情報記憶部２５と、音楽再生部２６と、音楽再生用のスピーカ２６ａと、音楽コンテンツ記憶部２７とからなる。
【０００９】
電子メール記憶部２３には、電子メール２３ａが記憶される。待ち受け画面コンテンツ情報記憶部２５には、待ち受け画面コンテンツ情報２５ａが記憶される。待ち受け画面コンテンツ情報２５ａは、静止画コンテンツ及び／または動画コンテンツであり詳細は後述する。音楽コンテンツ記憶部２７には、音楽コンテンツ２７ａが記憶される。
【００１０】
上記のように構成された、本発明の第１の実施形態に係る情報処理装置の各部の動作を、図１を参照して説明する。
【００１１】
通信部１２ｂは、アンテナ１２ａが受信した高周波信号を送受信部１３へ出力し、また、送受信部１３から出力される高周波信号をアンテナ１２ａより送信する。
【００１２】
送受信部１３は、通信部１２ｂからの高周波信号を増幅、周波数変換及び復調し、それによって得られたディジタル音声信号を通話部１４ｃへ、また、制御信号を制御部１１に送る。更には、通話部１４ｃから出力されるディジタル音声信号、及び制御部１１から出力される制御信号を変調、周波数変換及び増幅し、高周波信号を得て、それを通信部１２ｂに送る。
【００１３】
通話部１４ｃは、送受信部１３から出力されるディジタル音声信号をアナログ音声信号に変換し、それを増幅してスピーカ１４ａに送る。また、マイクロフォン１４ｂから出力されるアナログ音声信号を増幅し、それをディジタル音声信号に変換して送受信部１３に送信する。
【００１４】
表示部１５は、制御部１１に制御されることで、カーソルを含む文字・数字を含む画像データの表示動作を行い、表示されているデータは、入力装置１６からの入力操作や着信信号に応答して制御部１１からの指示を受けることで切換わる。
【００１５】
入力装置１６は、通話相手の電話番号などを指定し、また、トグル式の入力方式によってひらがな文字、アルファベット文字及び記号文字を入力するための数字キーと、カーソル移動キーやスクロールキーを含む複数の機能キーとを含むキーからなる。そして、入力装置１６のキーが押下されると、そのキーの識別子が制御部１１に通知され、この識別子に基づいて制御部１１の制御が行われ、表示部１５に文字として表示されたり、キーの押下に基づく制御が行われたりする。
【００１６】
通話処理部２１は、通話の管理を行う処理部であり、入力装置１６の所定のキーが操作された際に制御部１１によって起動され、通信部１２ｂ、送受信部１３及び通話部１４ｃを起動して、発呼処理及び通話処理をさせ、所定の画像を表示部１５に表示する。
【００１７】
また、通話処理部２１は、送受信部１３によって通話着信信号が受信されると制御部１１によって起動され、入力装置１６の所定のキーが操作されると、通信部１２ｂ、送受信部１３及び通話部１４ｃを起動して、着呼処理及び通話処理をさせ、所定の画像を表示部１５に表示する。通話中に入力装置１６の所定のキーが操作された際、通話処理部２１は、動作を終了する。後述するように、通話処理部２１は主たる処理部であって、従たる処理部の処理より優先されて動作させられる。
【００１８】
電子メール送受信部２２は、電子メールを送受信する。即ち、入力装置１６の所定のキーが操作された際に制御部１１によって起動され、送信する電子メールを入力装置１６のキー操作によって作成し、作成された電子メールを通信部１２ｂ及び送受信部１３を起動して送信させる。
【００１９】
また、電子メール送受信部２２は、送受信部１３によって電子メール着信信号が受信されると制御部１１によって起動され、電子メールを受信し、受信された電子メールを電子メール２３ａとして電子メール記憶部２３に記憶する。そして、入力装置１６の所定のキーが操作された際に起動され、入力装置１６のキー操作に従って電子メール記憶部２３に記憶された電子メール２３ａの１つを選択して表示部１５に表示する。後述するように、電子メール送受信部２２は主たる処理部であって、従たる処理部に優先されて動作させられる。
【００２０】
電子メール送受信部２２が送受信する電子メールには、添付ファイルが添付されていても良い。送信する電子メールに添付する添付ファイルは、待ち受け画面コンテンツ情報記憶部２５に記憶された待ち受け画面コンテンツ情報２５ａ及び／または音楽コンテンツ記憶部２７に記憶された音楽コンテンツ２７ａである。
【００２１】
受信された電子メールに添付ファイルが添付されていた場合、電子メール送受信部２２は、その添付ファイルの種類に応じ、その添付ファイルを待ち受け画面コンテンツ情報２５ａとして待ち受け画面コンテンツ情報記憶部２５に記憶し、または、音楽コンテンツ２７ａとして音楽コンテンツ記憶部２７に記憶する。
【００２２】
図２は、待ち受け画面コンテンツ情報記憶部２５に記憶される待ち受け画面コンテンツ情報２５ａの一例を示す。この待ち受け画面コンテンツ情報２５ａは、待ち受け画面コンテンツ情報識別子２５ｂと、コンテンツ２５ｃと、音楽再生状態表示方法２５ｄとが対応づけられた情報からなる。待ち受け画面コンテンツ情報識別子２５ｂは、コンテンツ２５ｃを識別する情報である。コンテンツ２５ｃは、静止画または動画を示す情報である。なお、コンテンツ２５ｃは、音楽再生状態表示方法２５ｄとは別のファイルとして記憶され、そのファイル名が待ち受け画面コンテンツ情報識別子２５ｂと対応づけられて記憶されても良い。
【００２３】
音楽再生状態表示方法２５ｄは、音楽再生部２６から送信された再生中の音楽に関する情報及び音楽再生部２６の動作の状況を、表示部１５に表示する方法を示す。そして、音楽再生状態表示方法２５ｄは、表示形態２５ｅと、表示情報２５ｆと、表示位置２５ｇと、表示形状２５ｈと、表示フォント２５ｉとが対応づけられた情報からなる。
【００２４】
表示形態２５ｅは、音楽再生状態表示方法２５ｄを識別する情報である。表示情報２５ｆは、音楽再生部２６から受信した情報の中でいずれの情報を表示するかを示す情報である。表示位置２５ｇは、表示情報２５ｆを表示部１５のいずれの位置に表示するかを示す座標情報である。表示形状２５ｈは、表示情報２５ｆを表示する形状を示し、例えば、文字によって表示するか、図形によって表示するか等を示す情報である。表示フォント２５ｉは、表示情報２５ｆを表示する際に文字を用いる場合、その文字のフォントを示す情報である。
【００２５】
図２に例示する待ち受け画面コンテンツ情報２５ａには、待ち受け画面コンテンツ情報識別子２５ｂが「Ｃ−１」であるコンテンツ２５ｃが記憶されている。そして、そのコンテンツ２５ｃに対応して、表示形態２５ｅが第１〜第３の形態である、３通りの音楽再生状態表示方法２５ｄが記憶されている。表示形態２５ｅが第１の形態である音楽再生状態表示方法２５ｄによれば、再生状態と、曲名と、アーティスト名とが表示されることが表示情報２５ｆに記憶されている。ここで、再生状態は、再生中と、一時停止中と、早送り中と、逆送り中との４通りの状態がある。
【００２６】
表示形態２５ｅが第２の形態である音楽再生状態表示方法２５ｄによれば、曲名と、再生時間と、再生ボリュームとが表示されることが表示情報２５ｆに記憶されている。ここで、再生時間は、曲の開始から現在再生中の部分までの時間と、曲全体を再生する時間とが、記号「／」をはさんで表示されることが表示形状２５ｈに記憶されている。
【００２７】
また、再生ボリュームは、三角形の図形が２つの部分に分割され、それぞれの部分が異なる表示様式、例えば、異なる色で表示され、ある表示様式で三角形の全てが表示されていれば再生ボリュームが無音であり、その表示様式と異なる様式で三角形の全てが表示されていれば、再生ボリュームが最大であることを示すことが表示形状２５ｈに記憶されている。
【００２８】
表示形態２５ｅが第３の形態である音楽再生状態表示方法２５ｄによれば、音楽再生部２６から受信した再生中の音楽に関する情報及び音楽再生部２６の動作の状況は表示部１５に表示されないことが、表示情報２５ｆに記憶されている。
【００２９】
音楽再生状態表示方法２５ｄには、上記説明した他に、例えば、表示の点滅状況や、情報を表示する言語、即ち、音楽再生部２６は同じ情報を例えば日本語と英語とで送信し、それらのいずれの言語によって情報を表示するかを示す情報が含まれていても良い。
【００３０】
待ち受け画面再生部２４は、待ち受け画面コンテンツ情報識別子２５ｂが指定されて制御部１１によって起動され、指定された待ち受け画面コンテンツ情報識別子２５ｂで識別されるコンテンツ２５ｃを待ち受け画面として表示部１５に表示する。また、音楽再生部２６と通信して、音楽再生部２６から送信された再生中の音楽に関する情報及び音楽再生部２６の動作の状況を示す情報を受信して、それらの情報を指定された待ち受け画面コンテンツ情報識別子２５ｂと対応づけられた表示形態２５ｅに従って表示部１５に表示する。
【００３１】
なお、この表示形態２５ｅに従って表示部１５に情報を表示し、かつ、指定された待ち受け画面コンテンツ情報識別子２５ｂと対応づけられたコンテンツ２５ｃが動画である場合、上記表示と動画の動きが重なり、視認し難くなることがある。この場合は、動画の動きを止め、静止画として表示しても良い。
【００３２】
ここで、複数の表示形態２５ｅが記憶されている場合、待ち受け画面再生部２４は、所定時間間隔でいずれかの表示形態２５ｅに従った表示を行うが、これに限るものではない。例えば、制御部１１によって指定された表示形態２５ｅに従った表示を行うとしても良い。また、コンテンツ２５ｃが動画である場合、再生が行われていくのに従って、異なる表示形態２５ｅを選択し、選択された表示形態２５ｅに従った表示を行うとしても良い。この選択の基準は、例えば、表示される画像の中心部を避け、更に、周辺部の中で色の変化の乏しい部分に表示することによって、コンテンツ２５ｃの視認に与える影響を少なくする。
【００３３】
後述するように、待ち受け画面再生部２４は従たる処理部であり、主たる処理部が動作中には、主たる処理部が表示部１５に表示を行う。そして、主たる処理部が動作中、待ち受け画面再生部２４は一時停止状態に置かれ、待ち受け画面再生部２４による表示は行われない、または、主たる処理部が表示部１５の画面の一部に表示を行い、待ち受け画面再生部２４はその一部以外の部分に表示を行う。
【００３４】
音楽コンテンツ記憶部２７に記憶される音楽コンテンツ２７ａは、第１の音楽コンテンツと、第２の音楽コンテンツとの２種類がある。図３に一例を示す第１の音楽コンテンツ２７ｂは、音楽コンテンツ識別子２７ｃと、コンテンツ２７ｄと、そのコンテンツ２７ｄに対する曲名２７ｅと、アーティスト名２７ｆと、マイレート２７ｇと、再生回数２７ｈと、ジャンル２７ｉと、全再生時間２７ｊとが対応づけられた情報からなる。
【００３５】
図３に示す第１の音楽コンテンツ２７ｂには、音楽コンテンツ識別子２７ｃが「Ｍ−１」であるコンテンツ２７ｄが記憶されている。第１の音楽コンテンツ２７ｂは、上述したように電子メール送受信部２２によって受信された電子メールに添付された添付ファイルが格納されたものであるが、これに限るものではない。ブラウザ部（図示せず）によってダウンロードされるとしても良い。また、取り外し可能な記憶媒体（図示せず）に記憶された情報がコピーされたものであっても良い。
【００３６】
なお、マイレート２７ｇは、このコンテンツ２７ｄを聴取した者によって付されたこのコンテンツ２７ｄの評価を示す情報であって、０〜５の６つの整数のいずれかである。再生回数２７ｈは、このコンテンツ２７ｄが再生された回数であって、後述する音楽再生部２６によって付される。全再生時間２７ｊは、このコンテンツ２７ｄ全体を再生するのに要する時間を示す。
【００３７】
図４に一例を示す第２の音楽コンテンツ２７ｋは、プレイリスト識別子２７ｍと、音楽コンテンツ識別子２７ｎと、プレイリスト名２７ｏとが対応づけられた情報からなる。第２の音楽コンテンツ２７ｋは、音楽コンテンツ識別子２７ｎに記憶された１つまたは複数の順序付けられた音楽コンテンツ識別子２７ｃからなるプレイリストを示し、プレイリスト識別子２７ｍは、このプレイリストを識別する情報である。図４に示す第２の音楽コンテンツ２７ｋには、プレイリスト識別子２７ｍが「Ｐ−１」であり、音楽コンテンツ識別子２７ｎが「Ｍ−１、Ｍ−２」であるプレイリストに関する情報が記憶されている。
【００３８】
第２の音楽コンテンツ２７ｋは、上述したように電子メール送受信部２２によって受信された電子メールに添付された添付ファイルが格納されたものであるが、これに限るものではない。制御部１１は、曲名２７ｅの一覧を表示部１５に表示し、入力装置１６の所定のキー操作によって選択された１つ、または複数の曲名２７ｅと対応づけて記憶された１つ、または複数の音楽コンテンツ識別子２７ｃを音楽コンテンツ識別子２７ｎとし、入力装置１６の所定のキー操作によって入力されたプレイリストの名称を示す文字列をプレイリスト名２７ｏとし、既に記憶されたプレイリスト識別子２７ｍと異なる値をプレイリスト識別子２７ｍとして第２の音楽コンテンツ２７ｋを格納しても良い。
【００３９】
音楽再生部２６は、入力装置１６の所定のキーが操作されると、制御部１１によって音楽コンテンツ識別子２７ｃが指定されて起動され、指定された音楽コンテンツ識別子２７ｃによって識別されるコンテンツ２７ｄを再生し、指定された音量で音楽再生用のスピーカ２６ａから発生させる。また、プレイリスト識別子２７ｍが指定されて起動され、音楽コンテンツ識別子２７ｎに記憶された１つまたは複数の音楽コンテンツ識別子２７ｃによって識別されるコンテンツ２７ｄを順次再生し、音楽再生用のスピーカ２６ａから発生させる。
【００４０】
コンテンツ２７ｄを再生中に、音楽再生部２６は、待ち受け画面再生部２４と通信して、再生中の音楽に関する情報及び音楽再生部２６の動作の状況を示す情報を待ち受け画面再生部２４に送信する。音楽再生部２６が送信する再生中の音楽に関する情報は、再生中のコンテンツ２７ｄと対応づけて記憶されている曲名２７ｅと、アーティスト名２７ｆと、マイレート２７ｇと、再生回数２７ｈと、ジャンル２７ｉと、全再生時間２７ｊとである。
【００４１】
また、音楽再生部２６が送信する音楽再生部２６の動作の状況を示す情報は、再生の状態と、そのコンテンツ２７ｄを再生開始してからの時間と、再生中の音量と、再生に選択し得る最大音量とである。ここで、再生の状態は、再生中か、一時停止中か、早送り中か、逆送り中かのいずれかである。また、最大音量は５であり、再生中の音量は０〜５の整数のいずれかであり、０は無音を示す。
【００４２】
音楽再生部２６は、プレイリスト識別子２７ｍが指定されてコンテンツ２７ｄを再生している際は、更に、指定されたプレイリスト識別子２７ｍと対応づけて記憶されているプレイリスト名２７ｏ、及び再生中のコンテンツ２７ｄと対応付けて記憶された音楽コンテンツ識別子２７ｃが音楽コンテンツ識別子２７ｎの何番目の識別子であるかの情報とを送信する。
【００４３】
音楽再生部２６は、従たる処理部であって、主たる処理部が動作中には制御部１１によって一時停止状態に置かれる。
【００４４】
以下、本実施形態に係る移動通信端末装置の制御部１１の、主たる処理部と従たる処理部の管理に関する制御動作を説明する。
【００４５】
図５は、制御部１１の、主たる処理部と従たる処理部の管理に関する制御動作のフローチャートを示す。制御部１１は、装置の電源投入に従って動作を開始し（ステップＳ１１ａ）、１つの待ち受け画面コンテンツ情報２５ａを指定して、待ち受け画面再生部２４を起動して、待ち受け画面を表示させる（ステップＳ１１ｂ）。この指定する待ち受け画面コンテンツ情報２５ａは、前回装置の電源が切断された際に、後述するように入力装置１６の所定のキー操作により選択されていたものであるが、これに限るものではない。例えば、ステップＳ１１ｂで、制御部１１は、制御部１１内に記憶された符号化された静止画を復号して、表示部１５に待ち受け画面として表示しても良い。
【００４６】
図６は、待ち受け画面再生部２４によって待ち受け画面が表示部１５に表示された一例を示す。待ち受け画面再生部２４は、コンテンツ２５ｃを再生して、表示部１５の全画面に雲の形状からなる待ち受け画面１５ａを表示している。この雲の形状からなる待ち受け画面１５ａの表示は、以後の例においても同様に表示されることがあり、以後の表示部１５の表示の説明においては待ち受け画面１５ａの説明を省略する。
【００４７】
そして、表示部１５の上部のピクト欄１５ｂには、制御部１１によって、アンテナ状と棒状との図形により通信部１２ｂが受信している基地局から送信された電波の品質が表示され、電池状の図形により、装置の各部に電力を供給する蓄電池（図示せず）に蓄えられた電力の多寡が表示され、また、月日と曜日と時刻とが表示されている。この電波の品質、電力の多寡、月日、曜日、及び時刻は、常に表示されており、以後のピクト欄１５ｂの表示の説明においては説明を省略する。
【００４８】
続いて、制御部１１は、発生したイベントの種類を判断する（ステップＳ１１ｃ）。そのイベントが、待ち受け画面１５ａとして表示されている待ち受け画面コンテンツ情報２５ａとは異なる待ち受け画面コンテンツ情報２５ａを待ち受け画面１５ａとして表示させる、または、待ち受け画面１５ａとして表示されている待ち受け画面コンテンツ情報２５ａに含まれる表示形態２５ｅの選択するための待ち受け画面再生部２４に関する指示を示す入力装置１６の所定のキー操作であれば、制御部１１は、待ち受け画面コンテンツ情報２５ａを選択し、または、表示形態２５ｅを選択し、選択された情報を指定して待ち受け画面再生部２４を再起動させる（ステップＳ１１ｄ）。そして、ステップＳ１１ｃの発生したイベントに従って制御動作を判断する動作に移る。
【００４９】
一方、ステップＳ１１ｃの判断で、そのイベントが音楽再生部２６に関する指示を示す入力装置１６の所定の操作であれば、制御部１１は、待ち受け画面再生部２４を一時停止させる（ステップＳ１１ｅ）。音楽再生部２６に関する指示の具体例としては、例えば音楽再生部２６を起動する操作、音楽再生部２６を起動して音楽を再生させる操作、再生状態を指示する操作、音楽の再生を終了させるための操作があげられる。その後所定の画像、例えば、音楽コンテンツ２７ａの選択と音楽再生部２６への終了などの指示を入力するためのメニュー画面を表示部１５に表示することや、入力装置１６の所定のキー操作に従って、音楽コンテンツ２７ａの選択とコンテンツ２７ｄの再生を含む音楽再生部２６の制御を行う（ステップＳ１１ｆ）。
【００５０】
図７は、音楽再生部２６が起動されて音楽コンテンツ２７ａの再生が開始された際に、音楽再生部２６によって表示部１５に表示される情報の一例を示す。この表示では、待ち受け画面１５ａは表示されず、ピクト欄１５ｂには、既に説明した表示に加えて、右向き三角形状と「ＰＬＡＹ」なる文字が表示されて、音楽再生部２６がコンテンツ２７ｄを再生中であることが表示されている。
【００５１】
ここで、音楽再生部２６がコンテンツ２７ｄの再生を一時停止中には「Ｐａｕｓｅ」なる文字が、早送り中には「ＦＦＷ」なる文字が、逆送り中には「ＲＥＷ」なる文字が、「ＰＬＡＹ」なる文字に代えてそれぞれ表示される。この音楽再生部２６の音楽再生状況に応じた表示を含んで表示されるピクト欄１５ｂは、音楽再生部２６が動作中には常に表示されており、以後の表示部１５の表示の説明においては説明を省略する。
【００５２】
また、表示部１５に、上から下へ順次文字「曲１」からなる曲名表示１５ｃと、文字「歌手１」からなるアーティスト名表示１５ｄと、人の姿の画像である音楽付属画像表示１５ｅと、「★★★☆☆」なる星形状の図形であるマイレート表示１５ｆと、四角形状及び文字「００：００：０２／００：５５：２２」からなる再生時間表示１５ｇ、文字「１／２曲目」からなる再生曲順表示１５ｈとが表示されている。
【００５３】
更に、表示部１５の下部に左から右に順次文字「前の曲」からなる第１の機能表示１５ｉと、文字「一時停止」からなる第２の機能表示１５ｊと、文字「次の曲」からなる第３の機能表示１５ｋとが表示されている。
【００５４】
曲名表示１５ｃは音楽再生部２６によって再生中のコンテンツ２７ｄを、アーティスト名表示１５ｄは音楽再生部２６によって再生中のコンテンツ２７ｄに対応付けられたアーティスト名２７ｆを、音楽付属画像表示１５ｅは音楽再生部２６によって再生中のコンテンツ２７ｄに対応付けて第１の音楽コンテンツ２７ｂに記憶された静止画（図示せず）を、それぞれ示す。
【００５５】
マイレート表示１５ｆは音楽再生部２６によって再生中のコンテンツ２７ｄに対応付けられたマイレート２７ｇを示し、星形状の図形５個からなり、マイレート２７ｇがｉ（ここで、０≦ｉ≦５。）であれば、５個の星形状の図形の中のｉ個が塗りつぶされた星形状「★」として、その余の星形状の図形は、白抜き星形状「☆」として表示される。
【００５６】
再生時間表示１５ｇの四画形状は、再生開始にあたっては全体が白抜きとして表示され、再生終了にあたっては全体が塗りつぶされて表示され、再生途中にあっては再生に要する時間、即ち、再生中のコンテンツ２７ｄに対応付けられた全再生時間２７ｊに対する再生済みの時間の比率で、四画形状の一部であって左部分が塗りつぶされて表示される。再生時間表示１５ｇの文字は、文字「／」によって分数を示し、分母が再生中のコンテンツ２７ｄに対応付けられた全再生時間２７ｊを、分子が再生済みの時間を、それぞれ示す。
【００５７】
再生曲順表示１５ｈは、音楽再生部２６がプレイリスト識別子２７ｍが指定されて起動された場合、文字「／」によって分数を示し、分母はそのプレイリスト識別子２７ｍに対応付けられた音楽コンテンツ識別子２７ｎに記憶された音楽コンテンツ識別子２７ｃの個数を、分子がその記憶された音楽コンテンツ識別子２７ｃの中で再生中のコンテンツ２７ｄに対応付けられた音楽コンテンツ識別子２７ｃが何番目であるかを、それぞれ示す。
【００５８】
第１の機能表示１５ｉは、音楽再生部２６がプレイリスト識別子２７ｍが指定されて起動され、かつ、入力装置１６のキーの中で第１の機能表示１５ｉに最も近い場所に位置する機能キー（図示せず）が操作された場合、音楽再生部２６は、そのプレイリスト識別子２７ｍに対応付けられた音楽コンテンツ識別子２７ｎに記憶された音楽コンテンツ識別子２７ｃであって、再生中のコンテンツ２７ｄに対応付けられた音楽コンテンツ識別子２７ｃの直前の音楽コンテンツ識別子２７ｃに対応付けられたコンテンツ２７ｄを再生することを示す。
【００５９】
第２の機能表示１５ｊは、入力装置１６のキーの中で第２の機能表示１５ｊに最も近い場所に位置する機能キー（図示せず）が操作された場合、音楽再生部２６は、音楽再生の動作を一時的に中止することを示す。
【００６０】
第３の機能表示１５ｋは、音楽再生部２６がプレイリスト識別子２７ｍが指定されて起動され、かつ、入力装置１６のキーの中で第３の機能表示１５ｋに最も近い場所に位置する機能キー（図示せず）が操作された場合、音楽再生部２６は、そのプレイリスト識別子２７ｍに対応付けられた音楽コンテンツ識別子２７ｎに記憶された音楽コンテンツ識別子２７ｃであって、再生中のコンテンツ２７ｄに対応付けられた音楽コンテンツ識別子２７ｃの直後の音楽コンテンツ識別子２７ｃに対応付けられたコンテンツ２７ｄを再生することを示す。
【００６１】
また、入力装置１６の所定のキーが操作された場合、音楽再生部２６は、曲名２７ｅの一覧及び／またはプレイリスト名２７ｏの一覧を表示部１５に表示して、入力装置１６の所定のキーの操作によって表示された曲名２７ｅ及び／またはプレイリスト名２７ｏを選択して、再生する。また、入力装置１６の所定のキーが操作された場合、再生中のコンテンツ２７ｄを早送りし、また、逆送りする。更に、入力装置１６の所定のキーが操作された場合、音楽再生部２６は、動作を終了する。
【００６２】
そして、制御部１１は、音楽コンテンツ２７ａの再生が開始されてから所定の時間経過後、上記音楽再生部２６に再生中の音楽コンテンツ２７ａの再生を続けさせつつ、図７に一例を示す表示を終了させ、待ち受け画面再生部２４の動作を再開させて待ち受け画面を表示させる（ステップＳ１１ｇ）。そして、ステップＳ１１ｃの発生したイベントに従って制御動作を判断する動作に移る。
【００６３】
一方、ステップＳ１１ｃの判断で、そのイベントが主たる処理部に関するもの、例えば通話の指示、通話着信、電子メール送信の指示、電子メール着信、受信された電子メールの表示の指示であれば、制御部１１は、待ち受け画面再生部２４を一時停止させる（ステップＳ１１ｈ）。
【００６４】
そして、制御部１１は、音楽再生部２６が動作中であるか否かを調べて、動作中であるか否かを記憶し（ステップＳ１１ｉ）、動作中であればその動作を一時停止させ（ステップＳ１１ｊ）、動作中でなければ上記一時停止の制御をせずに、上記イベントに対応する処理部を起動してイベントに対する動作をさせる。この動作の過程で、その処理部は、表示部１５に表示を行い、また、入力装置１６の所定のキー操作に依存して動作することがある（ステップＳ１１ｋ）。その動作の具体例は後述する。
【００６５】
そのイベントに対する動作が終了すると、制御部１１は、ステップＳ１１ｉで調べた際に音楽再生部２６が動作中であったか否かをステップＳ１１ｉで記憶された情報によって調べ（ステップＳ１１ｍ）、動作中であった場合、音楽再生部２６の動作を再開させ（ステップＳ１１ｎ）、動作中でなかった場合、上記動作再開の制御をせず、待ち受け画面再生部２４の動作を再開させて（ステップＳ１１ｏ）、ステップＳ１１ｃの発生したイベントに従って制御動作を判断する動作に移る。
【００６６】
ここで、ステップＳ１１ｊにおいて、上記イベントが通話の指示を示す入力装置１６の所定のキー操作である場合、及び、送受信部１３によって通話着信信号が受信された場合、制御部１１は、ステップＳ１１ｋで通話処理部２１を起動して発呼、着呼及び通話の処理を行わせる。また、上記イベントが電子メールの送信の指示を示す入力装置１６の所定のキー操作である場合、送受信部１３によって電子メール着信信号が受信された場合、及び、受信された電子メールを表示部１５に表示する指示を示す入力装置１６の所定のキー操作である場合、制御部１１は、電子メール送受信部２２を起動して、電子メールの送受信または受信された電子メールの表示の処理を行わせる。
【００６７】
次に、待ち受け画面再生部２４及び音楽再生部２６が動作中に表示部１５に表示される情報を説明する。
【００６８】
図８は、待ち受け画面再生部２４及び音楽再生部２６が動作中に表示部１５に表示される情報の一例を示し、図５に示すフローチャートのステップＳ１１ｇで待ち受け画面再生部２４が待ち受け画面１５ａを表示した場合、及び音楽再生部２６が動作中であり、図５に示すフローチャートのステップＳ１１ｏで待ち受け画面再生部２４が待ち受け画面１５ａを表示した場合などに表示される。
【００６９】
待ち受け画面再生部２４は、コンテンツ２５ｃを再生して、表示部１５の全画面に雲の形状からなる待ち受け画面１５ａを表示している。そして、表示部１５の上部のピクト欄１５ｂが制御部１１によって表示されている。
【００７０】
図８に示す例では、更に、表示部１５のほぼ中央部に文字「Ｎｏｗ  Ｐｌａｙｉｎｇ」からなる再生状態表示１５ｍと、中央部から下に、文字「曲１」からなる曲名表示１５ｎと、文字「歌手１」からなるアーティスト名表示１５ｏとが順次表示されており、曲名２７ｅが「曲１」かつアーティスト名２７ｆが「歌手１」である対応づけられた情報のコンテンツ２７ｄが再生中であることを示している。
【００７１】
図９に示す表示例は、図８に示す表示例とほぼ同じであり、再生状態表示１５ｍとして文字「Ｐｌａｙ」が表示されていることが異なっている。図８に示す表示及び図９に示す表示は、図２に示す表示形態２５ｅが「第１の形態」である音楽再生状態表示方法２５ｄによって表示された例を示す。
【００７２】
図１０に示す表示例は、表示部１５のほぼ中央部に文字「曲１」からなる曲名表示１５ｎと、中央部から下に、文字「００：３２：２２／００：５５：２２」からなる再生時間表示１５ｐと、再生ボリューム表示１５ｑとが順次表示されている。再生ボリューム表示１５ｑは、文字「Ｖｏｌｕｍｅ  ３」と、一部が白色で、他の部分に白色以外の色の表示がある三角形状の図形とからなる。
【００７３】
この再生時間表示１５ｐは、再生中のコンテンツ２７ｄと対応づけられた情報の全再生時間２７ｊは５５分２２秒であり、その再生が開始されてから３２分２２秒が経過したことを示している。また、この再生ボリューム表示１５ｑは、再生音量のレベルは「３」であり、このレベルは最大音量ではなく、かつ、最小音量ではないことを、一部とその他の部分とが異なる色で表示された三角形状の図形によって示している。
【００７４】
この図１０に示す表示は、図２に示す表示形態２５ｅが「第２の形態」である音楽再生状態表示方法２５ｄによって表示された例を示す。
【００７５】
図１１に示す表示例は、雲の形状からなるコンテンツ２５ｃの再生による待ち受け画面１５ａの表示と、ピクト欄１５ｂの表示とのみであり、音楽再生部２６が再生中のコンテンツ２７ｄに関する情報と音楽再生部２６の再生状態の表示は、ピクト欄１５ｂに含まれる表示のみである。この図１１に示す表示は、図２に示す表示形態２５ｅが「第３の形態」である音楽再生状態表示方法２５ｄによって表示された例を示す。
【００７６】
なお、ステップＳ１１ｃで、発生したイベントの種類が待ち受け画面再生部２４に関する指示、音楽再生部２６に関する指示、及び主たる処理部に関するもの以外であり、かつ、音声に関する指示でない場合（例えば、図示しない電話帳記憶部の編集に関する指示）、制御部１１は、そのイベントが待ち受け画面再生部２４に関する指示である場合に準じて、音楽再生部２６の音楽再生を続けさせたまま、そのイベントに対応した制御を行う。
【００７７】
また、ステップＳ１１ｃで、発生したイベントの種類が主たる処理部に関するものである場合、制御部１１は、音楽再生部２６が動作中であれば、ステップＳ１１ｊでその動作を一時停止させ、ステップＳ１１ｎでその動作を再開させるとしたが、これに限るものではない。主たる処理部が通話などの音声に関する処理中を除き、音楽再生部２６の音楽再生動作を続けさせても良い。
【００７８】
例えば、ステップＳ１１ｃにおいて、電子メールを作成して、送信する場合においても、音声に関する処理ではないため、音楽再生部２６の音楽再生動作を継続させてもよい。なお、電子メール作成動作は、音楽再生部２６が動作している時と、動作していない時では異ならないこととなる。また、メール作成のほかにも、受信した電子メールの表示処理、送信済み電子メールの表示処理、音声に関連しないブラウザ処理（図示しないブラウザ処理部による処理）なども同様に音楽再生動作を続けさせてもよい。
【００７９】
以上の説明では、待ち受け画面再生部２４と音楽再生部２６とを従たる処理部と称して説明をしたが、従たる処理部は、入力装置１６のキー操作によって直接に動作を左右されることのない、バックグラウンドで動作するタスクとほぼ同義である。しかし、音楽再生部２６は、再生音量の変更に限って、入力装置１６のキー操作によって直接に動作を左右されても良い。
【００８０】
以上の説明では、待ち受け画面再生部２４は、常に存在し（動作中、または、一時停止中のいずれかの状態で存在することを意味する。）、存在するとは限らない（終了されていることがあることを意味する。）音楽再生部２６の動作状況を表示するとしたが、これに限るものではない。存在するとは限らない従たる処理部として、ラジオ放送を受信して、スピーカ２６ａから音声を出力させる及び／または録音するラジオ放送受信部（図示せず）や、ハンズフリー通話または再生された音楽の通信に用いられるブルートゥース（登録商標）通信部（図示せず）を有するとしても良い。
【００８１】
そして、待ち受け画面再生部２４は、受信している放送局の局名や、放送波の周波数をラジオ放送受信部から受信して表示する。また、待ち受け画面再生部２４は、動作しているか否かや、通信先の名称や、受信されたブルートゥース（Ｒ）電波の品質などをブルートゥース（Ｒ）通信部から受信して、表示する。
【００８２】
これらの表示の表示方法は、音楽再生状態表示方法２５ｄに準じて、待ち受け画面コンテンツ情報識別子２５ｂと対応づけて待ち受け画面コンテンツ情報２５ａに含めて記憶され、待ち受け画面再生部２４は、その記憶された方法に従って表示する。更に、複数の従たる処理部が同時に動作しており、それらの処理部の動作に関する情報を表示する際には、それらの表示が重なることのないような表示方法が記憶される。
【００８３】
（第２の実施形態）
第２の実施形態が第１の実施形態と異なる点は、制御部１１の主たる処理部と従たる処理部の管理に関する制御動作である。即ち、第１の実施形態に於いては、音楽再生部２６は従たる処理部であって、主たる処理部の動作開始の際は、動作が一時停止された。
【００８４】
一方、第２の実施形態に於いては、音楽再生部２６は主たる処理部に準じた制御を受けることが選択可能で、主たる処理部の緊急度が高い動作開始の際は動作が一時停止されるものの、必ずしも緊急度が高くない動作の際は動作が一時停止されることなく、主たる処理部に準じて動作を続けることが可能である。また、音楽再生部２６は主たる処理部の緊急度が高い動作の際を除いて、入力装置１６のキー操作によって直接に動作を制御される。
【００８５】
ここで、主たる処理部の緊急度が高い動作は、通話着信処理及び電子メール着信処理である。そして、主たる処理部の必ずしも緊急度が高くない動作は、発呼処理、電子メール送信処理及び受信された電子メールの表示処理である。
【００８６】
第２の実施形態が第１の実施形態と異なる制御部１１の制御動作は、図５に示すフローチャートのステップＳ１１ｆの音楽再生部２６の制御動作にある。そこで、制御部１１の主たる処理部と従たる処理部の管理に関する制御動作の第２の実施形態を、図面を参照して説明する。
【００８７】
図１２は、制御部１１の、主たる処理部と従たる処理部の管理に関する制御動作であって、図５に示すフローチャートのステップＳ１１ｆの音楽再生部２６の制御動作に対応する制御動作のフローチャートを示す。図５に示すフローチャートのステップＳ１１ｆ以外の部分は、第２の実施形態に於いても同じであるので、同じ動作には同じ符号を付して、説明を省略する。
【００８８】
制御部１１は、ステップＳ１１ｅで待ち受け画面再生部２４を一時停止させた後、音楽再生部２６が既に動作中であるかを判断する（ステップＳ１１ｑ）。動作中でない場合、音楽再生部２６を起動し（ステップＳ１１ｒ）、音楽再生部２６を制御する。即ち、所定の画像、例えば、音楽コンテンツ２７ａの選択を入力するためのメニュー画面を表示部１５に表示させる。そして、入力装置１６の所定のキー操作に従って、音楽コンテンツ２７ａを選択し、音楽再生部２６にその音楽コンテンツ２７ａに含まれるコンテンツ２７ｄを再生させる（ステップＳ１１ｓ）。
【００８９】
これらのステップＳ１１ｒの動作及びステップＳ１１ｓの動作は、図５に示す第１の実施形態の動作のステップＳ１１ｆの動作と同様であって、表示部１５には、ステップＳ１１ｓの動作以降、図７に示す表示が音楽再生部２６によってなされている。また、入力装置１６の所定のキー操作に従って、音楽再生部２６が制御されるので、音楽再生部２６は、主たる処理部に準じた制御を受ける。なお、この主たる処理部に準じた制御とは、音楽再生部２６が従たる処理部として通常は制御を受けるが、例外的に主たる処理部として制御を受けることを指し、前述のステップＳ１１ｓから後述するステップＳ１１ｔの音楽再生部２６による動作を終了させる操作または、従たる処理へ移行する処理へ移行させる操作がなされるまで制御を受ける。
【００９０】
次に、制御部１１は、上記音楽再生部２６による表示を含む動作を終了させることなく、発生したイベントの種類を判断する（ステップＳ１１ｔ）。イベントが発生しなければ、引き続きステップＳ１１ｓの音楽再生部２６の制御及びステップＳ１１ｔの発生したイベントの種類を判断する動作を続ける。
【００９１】
発生したイベントが再生中のコンテンツ２７ｄを変更するなどの音楽再生部２６に関する指示を示す入力装置１６の所定のキー操作であれば、制御部１１は、その指示が、音楽再生部２６を従たる処理部として扱う指示であるか、音楽再生部２６を終了するものであるか、その他であるかを判断する（ステップＳ１１ｕ）。
【００９２】
音楽再生部２６を従たる処理部として扱う指示である場合、制御部１１は、音楽再生部２６に再生中のコンテンツ２７ｄの再生を続けさせつつ、音楽再生部２６に図７に示す表示を終了させ、また、音楽再生部２６は入力装置１６のキー操作によって直接に動作を制御されないとして（ステップＳ１１ｖ）、ステップＳ１１ｇの待ち受け画面再生部２４の動作を再開させる制御動作に移る。
【００９３】
一方、上記指示が音楽再生部２６を終了するものである場合、制御部１１は、音楽再生部２６を終了させ、その結果、音楽再生部２６による図７に示す表示を終了させて（ステップＳ１１ｗ）、ステップＳ１１ｇの待ち受け画面再生部２４の動作を再開させる制御動作に移る。
【００９４】
ステップＳ１１ｕで、上記指示がその他、即ち、第１〜３の機能表示１５ｉ〜１５ｋに示された指示である場合、及びその他の所定の入力装置１６のキーによる音楽再生部２６の動作の指示である場合、制御部１１は、ステップＳ１１ｓの音楽再生部２６の制御動作で音楽再生部２６にその指示に従わせる。
【００９５】
ステップＳ１１ｔで、イベントの種類が通話着信及び電子メール着信であって、主たる処理部の緊急度が高い処理に関するものと判断された場合、制御部１１は、そのイベントの種類が特に緊急度が高い通話着信であるか、通話着信に比較すれば緊急度が低い電子メール着信であるかを調べて記憶する（ステップＳ１１ｘ）。そして、通話着信であればステップＳ１１ｊの音楽再生部２６を一時停止させ、電子メール着信であれば上記一時停止の制御を行わずに、ステップＳ１１ｋのイベントに対応する処理部の動作をさせる。
【００９６】
そして、ステップＳ１１ｘで記憶されたイベントの種類を調べ（ステップＳ１１ｙ）、その種類が通話着信であればステップＳ１１ｎの音楽再生部２６の動作を再開させる制御をし、その種類が電子メール着信であれば上記再開の制御をせずに、ステップＳ１１ｓの音楽再生部２６の制御及びステップＳ１１ｔのイベントの種類を判断する動作に移る。イベントの種類が電子メール着信である場合、制御部１１は、例えばピクト欄１５ｂに封筒形状の図形を更に表示することによって電子メールが受信されたことを報知する。
【００９７】
ここで、イベントが電子メール着信である場合、制御部１１は、イベントが通話着信である場合と同様に、ステップＳ１１ｊの音楽再生部２６の一時停止の制御と、ステップＳ１１ｎの音楽再生部２６の動作を再開させる制御をするとしても良い。
【００９８】
一方、ステップＳ１１ｔで、イベントの種類が主たる処理部に関するものであると判断されても、そのイベントが通話開始の指示、電子メール送信の指示、及び受信された電子メールの表示の指示であれば、制御部１１は、そのイベントを無視する。または、そのイベントは入力装置１６の所定のキー操作であり、その操作をステップＳ１１ｓでの音楽再生部２６に対する指示とみなされる。
【００９９】
ステップＳ１１ｑで、音楽再生部２６が動作中である場合、制御部１１は、ステップＳ１１ｃで種類が判断されたイベントが示す音楽再生部２６に対する指示が音楽再生部２６を主たる処理部に準じて動作させる指示か、音楽再生部２６を終了させる指示かを判断する（ステップＳ１１ｚ）。そして、音楽再生部２６を主たる処理部に準じて動作させる指示である場合、制御部１１は、ステップＳ１１ｓの制御動作に移り、表示部１５に図７に示す表示が音楽再生部２６によってなされ、更に入力装置１６の所定のキー操作に従って音楽再生部２６が制御される、即ち、音楽再生部２６を主たる処理部に準じて制御をする。
【０１００】
一方、上記指示が音楽再生部２６を終了させる指示である場合、制御部１１は、音楽再生部２６を終了させ（ステップＳ１１ｗ）、ステップＳ１１ｇの待ち受け画面再生部２４の動作を再開させる制御動作に移る。
【０１０１】
（その他の実施形態）
上記の第１の実施形態及び第２の実施形態は、適宜組み合わせて実施することが可能であり、また、本発明は以上の構成に限定されるものではなく、種々の変形が可能である。
【図面の簡単な説明】
【０１０２】
【図１】本発明の実施形態に係る移動通信端末装置の構成を示すブロック図。
【図２】本発明の実施形態に係る待ち受け画面コンテンツ情報の構成の一例を示す図。
【図３】本発明の実施形態に係る第１の音楽コンテンツの構成の一例を示す図。
【図４】本発明の実施形態に係る第２の音楽コンテンツの構成の一例を示す図。
【図５】本発明の第１の実施形態に係る制御部の従たる処理部と主たる処理部を管理する制御動作のフローチャート。
【図６】本発明の実施形態に係る待ち受け画面再生部によって表示部に表示された待ち受け画面の一例を示す図。
【図７】本発明の実施形態に係る音楽再生部によって行われる表示部の表示の例。
【図８】本発明の実施形態に係る音楽再生部が音楽再生中に待ち受け画面再生部によって行われる表示部の表示の第１の例。
【図９】本発明の実施形態に係る音楽再生部が音楽再生中に待ち受け画面再生部によって行われる表示部の表示の第２の例。
【図１０】本発明の実施形態に係る音楽再生部が音楽再生中に待ち受け画面再生部によって行われる表示部の表示の第３の例。
【図１１】本発明の実施形態に係る音楽再生部が音楽再生中に待ち受け画面再生部によって行われる表示部の表示の第４の例。
【図１２】本発明の第２の実施形態に係る制御部の従たる処理部と主たる処理部を管理する制御動作のフローチャート。
【符号の説明】
【０１０３】
１１  制御部
１５  表示部
１５ａ  待ち受け画面
１５ｂ  ピクト欄
１５ｃ、１５ｎ  曲名表示
１５ｄ、１５ｏ  アーティスト名表示
１５ｇ、１５ｐ  再生時間表示
１５ｍ  再生状態表示
１５ｑ  再生ボリューム表示
１６  入力装置
２１  通話処理部
２２  電子メール送受信部
２４  待ち受け画面再生部
２５  待ち受け画面コンテンツ情報記憶部
２５ａ  待ち受け画面コンテンツ情報
２５ｂ  待ち受け画面コンテンツ情報識別子
２５ｃ、２７ｄ  コンテンツ
２５ｄ  音楽再生状態表示方法
２５ｅ  表示形態
２５ｆ  表示情報
２５ｇ  表示位置
２５ｈ  表示形状
２５ｉ  表示フォント
２６  音楽再生部
２６ａ  スピーカ
２７  音楽コンテンツ記憶部
２７ａ  音楽コンテンツ
２７ｂ  第１の音楽コンテンツ
２７ｃ、２７ｎ  音楽コンテンツ識別子
２７ｅ  曲名
２７ｆ  アーティスト名
２７ｇ  マイレート
２７ｈ  再生回数
２７ｉ  ジャンル
２７ｊ  全再生時間
２７ｋ  第２の音楽コンテンツ
２７ｍ  プレイリスト識別子
２７ｏ  プレイリスト名
【図１】
2007189534.tif 000003
【図２】
2007189534.tif 000004
【図３】
2007189534.tif 000005
【図４】
2007189534.tif 000006
【図５】
2007189534.tif 000007
【図６】
2007189534.tif 000008
【図７】
2007189534.tif 000009
【図８】
2007189534.tif 000010
【図９】
2007189534.tif 000011
【図１０】
2007189534.tif 000012
【図１１】
2007189534.tif 000013
【図１２】
2007189534.tif 000014